(57)【特許請求の範囲】
【請求項１】
少なくとも一方の部品が他方の部品に対して回動する関係にある多数部品間にヒンジ部を形成する装置において、
外郭部材（２）が開位置から閉位置へ変位可能で、前記一方の部品に固定されており、
柔軟材の帯片（１）が前記他方の部品に固定され、前記外郭部材（２）の中へ延在し、
前記外郭部材（２）の中へ延びる帯片の部分が、前記外郭部材の開位置から閉位置への変位の後に前記外郭部材に係留される、ことを特徴とする多数部品間にヒンジ部を形成する装置。
【請求項２】
少なくとも２つの部品がお互いに回動する関係にある請求項１に記載の装置であって、
前記部品の各々が、開位置から閉位置に変位可能な前記外郭部材（２）に設けられ、
柔軟材の前記帯片（１）が、前記外郭部材（２）間に延在し、開位置から閉位置への前記２つの外郭部材（２）変位の後に、前記外郭部材に係留される、ことを特徴とする多数部品間にヒンジ部を形成する装置。
【請求項３】
請求項１又は２に記載の装置であって、
前記帯片（１）が繊維強化プラスティック材からなることを特徴とする装置。
【請求項４】
請求項１ないし３のいずれかに記載の装置であって、 前記外郭部材（２）が前記外郭部材（２）の閉位置において前記帯片（１）に係合するように多数の係留装置（１０，１１，１２，１４）を有することを特徴とする装置。
【請求項５】
請求項１ないし４のいずれかに記載の装置であって、
外郭部材（２）は、実質的に相互に直角になされた２つのシャンク（６，７）を有し、そのうちの１つに、曲げくぼみ部（９）を介して弧状シャンク（８）が設けられ、その弧状シャンク（８）の前記曲げくぼみ部（９）の反対側の端部は、前記外郭部材（２）の閉位置において第２の直角になされたシャンク（６）の自由端に近接していることを特徴とする装置。
【請求項６】
請求項４又は５に記載の装置であって、
前記近接する自由端の各々が前記係留装置（１１，１２）の１つであることを特徴とする装置。
【請求項７】
請求項４又は５に記載の装置であって、
前記弧状シャンク（８）は内方に向かう足型シャンク（１３）を有し、この足型シャンクは係止足部（１４）を有し、この係止足部は、前記第２の直角になされたシャンク（６）の係止装置（１０）とともに、係留装置（１１，１２）と係止装置（１０，１４）との間で固定された帯片（１）に閉位置の前記外郭部材（２）を保持することを特徴とする装置。
【請求項８】
請求項７に記載の装置であって、
前記係止足部（１４）に対して反対側の係止かかと部（１５）は、前記１つの直角シャンク（７）の内側のフランジ（１６）と協働して、係止かかと部（１５）とフランジ（１６）との間のロックピン（１９）によって外郭部材（２）を閉位置に固定するようになされていることを特徴とする装置。
【発明の詳細な説明】
【０００１】
本発明は、１つの部品が他の部品に対して少なくとも回動できるような多数の部品間にヒンジ部を形成する装置に関するものである。
【０００２】
従来、上述のいわゆる折り畳みヒンジ型のヒンジ機構は、たとえば、十分かつ認めうる許容公差を維持する困難性故の高い製造コストのような種々の欠点に悩まされており、このことは、この装置の多数の不採用を引き起こしていた。さらに、この従来の構造は、見栄えと良好な機械的強度に関する許容しうる基準を維持するための困難性ばかりでなく、組立上の問題を抱えていた。コストと組立技術上の理由から、部品の数は可能な限り少ない方が望ましい。折り畳み壁、スクリーン等を実現するために折り畳みヒンジ機構を採用する場合に最も重要なことは、その構造が美的及び機能上の体裁についての厳重な要求を満足させることである。さらに、そのような構造は、看護及び医療の環境で採用され場合特に、清潔の維持が容易でなければならない。
【０００３】
本発明の基礎を形成する課題は、この分野で一般的な従来技術に対する改良を構成する設計及び構造を実現することである。
【０００４】
この課題は、開位置と閉位置とをとりうる外郭部材が一方の部品に固定され柔軟材からなる帯片が他の部品または閉位置の外郭部材に固定されるような本発明によって解決される。少なくとも２つの部品が互いにヒンジ回動する場合は、その部品の各々に、開位置から閉位置へ変位できる外郭部材が設けられ、柔軟材からなる帯片は閉位置にある両外郭部材に固定される。前記帯片は、他方の部品の寸法と比較して薄い繊維強化プラスティックからなる。前記外郭部材は、その閉位置において帯片に係合する多数の係留部材を有する。外郭部材は、実質的に相互に直角になされた２つのシャンクを有し、そのうちの１つに、曲げくぼみ部を介して弧状シャンクが設けられ、その弧状シャンクの前記曲げくぼみ部の反対側の端部は、前記外郭部材の閉位置において他の直角になされたシャンクの自由端に近接している。近接する自由端の各々が係留装置の１つである。前記弧状シャンクは内方に向かう足型シャンクを有し、この足型シャンクは係止足部を有し、この係止足部は、前記他の直角になされたシャンクの係止装置とともに、係留装置と係止装置との間で固定された帯片に閉位置の前記外郭部材を保持する。係止足部に対して反対側の係止かかと部は、前記１つの直角シャンクの内側のフランジと協働して、係止かかと部とフランジとの間のロックピンによって外郭部材を閉位置に固定するようになされている。
【０００５】
本発明によって、折り畳みヒンジ機構は製造及び組立が著しく簡単になるであろう。機構に含まれる外郭部材は適切な材料の押し出しで容易に作ることができる。ヒンジ片を適切に挿入した後外郭部材を開位置から閉位置にすることによって、ヒンジ片は外郭部材によって固定され、その後ヒンジ片の自由端は他の部分に固定されるか、もう１つの外郭部材に固定される。ヒンジ片が２つの外郭部材の間に配置される場合は、ヒンジ継ぎ手構造の組立のための本発明の機械を使用すれば、それらの間にヒンジ片を配置した後両外郭部材の突き出す動作で容易に実行することができる。本発明のヒンジ機構によれば、例えば展示会場、開放平面オフィス、医療施設等の異なる隔離状況において採用されても折り畳みスクリーンを作ることは容易である。そのような場合において、二重折り畳みヒンジ機構は適切な素材の多数のパネルの間に配置される。ヒンジ機構は、ヒンジ機構の端部の中に延びるとともに、同時に外郭部材を閉位置に固定もしくは係止する ねじ又はピンでパネルに固定される。この場合、各々の外郭部材におけるヒンジ片の係止もまた固定される。この発明によれば、ヒンジ機構は著しくスムーズでさらに静かであり固く当節しており、その結果、透けて見えてしまう危険をなくすことができる。
【０００６】
本発明は、添付図面を参照して以下にさらに詳細に説明される。
【０００７】
図１は、本発明のヒンジ機構の一実施の形態を示している。このヒンジ機構はヒンジ片１と外郭部材２とを有している。外郭部材２は、ヒンジ片１が外郭部材に固定される閉位置を示している。外郭部材２は、固定ピン又は固定ねじ（図１に図示していないが二点鎖線によって暗示されている）を設置することによって図示するような閉位置に固定可能である。図１に示すヒンジ機構は、少なくとも一方が他方に対して軸周りに旋回可能な２つの部材の間に設置されることを意図している。ヒンジ片１の自由端部は一方の部材に固定でき、他方外郭部材２は、外郭部材２のフランジ４と５との間に据え付けられる好ましくはパネル又はそのようなものである他の部材に固定される。ヒンジ片１は多数の素材から製造されうるが、繊維強化プラスティクのシート材が好ましい。この素材の最も重要な特性は、外郭部材２の少なくとも近傍部分における曲げ能力と柔軟性でなければならない。ヒンジ片１のこの部分は、さらに繰り返し行われる曲げに対してかなりの耐久性と抵抗性を発揮しなければならない。外郭部材２は、好ましくは、さらに所望の色及び色合いを出すために適切な表面被覆がなされた押し出し成形されたアルミニウム材から製造される。
【０００８】
図２及び図３には、開位置及び閉位置における外郭部材２が示されている。上述したように、外郭部材２は、図２に示すような開位置の部品として適切な素材の押し出し成型によって好ましくは製造される。外郭部材２は、シャンク７に対して略直角になされたシャンク６を有しており、弧状になされたシャンク８は曲げくぼみ部９を介してシャンク７に接続されている。シャンク６の内側には、係止手段１０が長手方向の湾曲部を形成するように設けられている。シャンク６の自由端には、弧状シャンク８の自由端に設けられた長手方向突起１２と協働するように長手方向の凹部１１が設けられている。
【０００９】
弧状シャンク８には、シャンク６の係止手段と協働する足部１４とシャンク７の内側に実質的に補完的に設計されたフランジ１６と協働するかかと部１５とを有し、内側に向かう足型シャンク１３が設けられている。かかと部１５とフランジ１６との間にピン又はねじを固定することによって、外郭部材２を図３に示すような閉位置に効率よく固定することができる。
【００１０】
ヒンジ片１の各々の側に外郭部材２を配置するのが望ましい場合には、外郭部材２は、図４に示すように、フランジ１６が向き合うように、ヒンジ片１が破線で示すように載置されるように配置される。外郭部材２上の弧状シャンク８が破線で示され、足部１４の開位置から閉位置への弧状の動きが図４の左に破線によって暗示されている点に注意すべきであり、足部１４の位置は開位置から閉位置への道筋に沿って異なる位置に示されている。閉位置において、種々の部材は実線で示されている。ヒンジ片１は、それがフランジ１６まで真っ直ぐに延びるほど幅広の場合には、フランジ１６の先端に載せるために、係止手段１０を通り過ぎ足部１４とかかと部１５を経由してフランジ１６の先端上まで曲げられる。
【００１１】
図４に示すヒンジ機構は、図５及び図６に示すように２つの異なる位置を示す。図５において、ヒンジ機構は、外郭部材２が互いに直角になるように部品上に固定されている。図６において外郭部材２が固定される部品は互いに並列になされている。
【００１２】
図７において、本発明のヒンジ機構の適用が例示されており、たとえば折り畳み壁又は折り畳みスクリーンである実質的に同一の７つのパネルの各々の端部に、ヒンジ片１によって対をなして相互に接続された外郭部材が設けられている。図７においては、わかりやすくするためヒンジ片１は示されていない。外郭部材２は、一方ではフランジ４及びによって所定の位置に保持され、他方ではパネル１７のエッジに沿って延在し、固定ピン又はねじ１９で外郭部材に固定されるロッド１８によって所定の位置に保持される。図７に示すスクリーン壁は、フレームもしくは壁に交互に固定されるロッド又はシャフト２１に好都合に回動する端部２０によってフレームもしくは壁に固定されている。
【００１３】
図８ないし図１０は、ヒンジ片１とともに外郭部材２を図２に示す開位置から図３に示す閉位置へ変換する機械を示している。図８ないし図１０に示す機械は、外郭部材２と図４に示すのと実質的に同様に外郭部材の間に延在するヒンジ片１とが載置される上面を有するテーブル２３を支持するフレーム２２を有している。フランジ５はテーブルの溝に嵌合し、一方フランジ４はテーブル上面の外側に位置し、そしてシャンク７はテーブル上面に載置される。フランジ５のための溝は、ジョイントの堅さを調整するためにフランジ４間に挿入物又はスペーサを挿入できるように僅かに広くなされている。挿入物又はスペーサが厚ければ厚い程ジョイントはよりスムーズになるであろう。一実施の形態としては、０．６ｍｍの厚さの挿入物が適度のスムーズな回動を示した。テーブル２３の各々の側には断面正方形の方形筒２４と２５が延在している。これらの方形筒２４と２５には、それぞれ歯車２６と２７が設けられている。これら歯車は端部に軸支されており、方形筒２４と２５の回転軸を規定している。方形筒２４，２５はシリンダ２８，２９によって回動させられる。方形筒２４，２５はこのように各々の端部にシリンダを有し、シリンダのピストンロッドは方形筒２４，２５の端板３０と３１に回動可能に固定されている。ピストンの突き出しによって、方形筒２４と２５は歯車２６と２７の周りに回動し、方形筒は足形シャンク１３と実質的に同じ高さの弧状シャンク８に接触し、そして弧状シャンクを図４に示す開位置から図４に実線で示す閉位置まで変える。初期の段階で、足部１４は、ヒンジ片１に摩擦接触し、足部１４とヒンジ片１との間の摩擦はヒンジ片１延びを解放する。部品が閉位置に近くなればなるほど摩擦と延びがますます大きくなる。そして、ヒンジ継手内の大きな均衡が確保される。図８ないし図１０に示す機械によって、本発明のヒンジ機構は簡単に実現され、その後図７に示すパネル１７に簡単に適用することができ、横断支柱１８と固定ねじ１９によってパネル１７に固定される。
【００１４】
本発明は、当然前述した実施の形態に限定されるものではなく、さらに添付したクレームに定義した発明の概念から離れることなく勿論多くの変形が可能である。
【図面の簡単な説明】
【図１】  図１は、ヒンジ片をその中に有する本発明の一実施の形態の外郭部材の断面を示す。
【図２】  図２は、開位置における外郭部材の図１と同様の断面を示す。
【図３】  図３は、閉位置における図２と同様の断面を示す。
【図４】  図４は、図３と実質的に同様の断面を示すが、ヒンジ片が固定されたもう一つの外郭部材を有し、外郭部材とヒンジ片は異なる位置に示されている。
【図５】  図５は、直角位置の部品を伴う図４のヒンジ機構の断面を示す。
【図６】  図６は、互いに並列した部品を伴う同様の断面を示す。
【図７】  図７は、本発明の図４ないし図６に示すヒンジ機構を有する折り畳み壁又は折り畳みスクリーンの断面を示す。
【図８】  図８は、ヒンジ片を有する外郭部材を開位置から閉位置へ変化させる機械の正面を示す。
【図９】  図９は、図８の機械の端面を示す。
【図１０】  図１０は、図９に示す端面の一部を拡大して示す。
【図１】
0004454860.tif 000002
【図２】
0004454860.tif 000003
【図３】
0004454860.tif 000004
【図４】
0004454860.tif 000005
【図５】
0004454860.tif 000006
【図６】
0004454860.tif 000007
【図７】
0004454860.tif 000008
【図８】
0004454860.tif 000009
【図９】
0004454860.tif 000010
【図１０】
0004454860.tif 000011